(57)【要約】【課題】  記録されるデータ量を軽減し、データ受信側でのデータの欠損を補正及び補完可能とする。【解決手段】  データを送信するデータ送信装置と、該データ送信装置からのデータを受信するデータ受信装置からなるデータ伝送システムにおいて、前記データ送信装置は、前記データ受信装置に送信するデータを記録するデータ記録手段を有し、前記データ受信装置は、前記データ送信装置から受信した信号の伝送状態に基づいて制御情報を生成し、前記データ送信装置に送信する制御送信手段を有し、前記データ記録手段は、前記データ受信装置からの制御情報及び／又は前記制御情報の受信状態に基づいて、前記データの記録又は消去を行うことにより、上記課題を解決する。【選択図】        図２
2005286533.tif 000002
【特許請求の範囲】
【請求項１】
データを送信するデータ送信装置と、該データ送信装置からのデータを受信するデータ受信装置からなるデータ伝送システムにおいて、
前記データ送信装置は、前記データ受信装置に送信するデータを記録するデータ記録手段を有し、
前記データ受信装置は、前記データ送信装置から受信した信号の伝送状態に基づいて制御情報を生成し、前記データ送信装置に送信する制御送信手段を有し、
前記データ記録手段は、前記データ受信装置からの制御情報及び／又は前記制御情報の受信状態に基づいて、前記データの記録又は消去を行うことを特徴とするデータ伝送システム。
【請求項２】
データをデータ受信装置に送信するためのデータ送信装置において、
前記データ受信装置に送信するデータを記録するデータ記録部と、
前記データ受信装置からの制御情報を受信する制御受信部とを有し、
前記データ記録部は、前記制御情報及び／又は前記制御情報の受信状態に基づいて、前記データ記録部に記録されたデータの消去を行うことを特徴とするデータ送信装置。
【請求項３】
前記制御受信部は、
予め設定される時間間隔毎に前記データ受信装置からの制御情報を受信し、前記データ受信装置で受信した信号の伝送状態が良好でなかったことを示す制御情報を受けた場合、又は、前記制御受信部で受信した制御情報の受信状態が良好でない場合、前記データ記録部に記録されているデータから前記時間間隔に対応するデータの消去を行わないことを特徴とする請求項２に記載のデータ送信装置。
【請求項４】
前記制御受信部は、
予め設定される時間間隔毎に前記データ受信装置からの制御情報を受信し、前記データ受信装置で受信した信号の伝送状態が良好であったことを示す制御情報を受けた場合、前記データ記録部に記録されているデータから前記時間間隔に対応するデータを消去させる制御データを生成することを特徴とする請求項２又は３に記載のデータ送信装置。
【請求項５】
前記データ記録部に前記データを記録する前に、前記データを一時的に記憶する一時記憶部を有し、
前記制御受信部は、前記制御情報及び／又は前記制御情報の受信状態に基づいて、前記一時記憶部に記録されたデータを消去又は前記データ記録部に記録させる制御データを生成することを特徴とする請求項２に記載のデータ送信装置。
【請求項６】
前記制御受信部は、
予め設定される時間間隔毎に前記データ受信装置からの制御情報を受信し、前記データ受信装置で受信した信号の伝送状態が良好でなかったことを示す制御情報を受けた場合、又は、前記制御受信部で受信した制御信号の伝送状態が良好でない場合、前記一時記憶部に記録されている前記時間間隔に対応するデータを前記データ記録部に出力させ、更に、出力したデータを前記一時記憶部から消去させる制御データを生成することを特徴とする請求項５に記載のデータ送信装置。
【請求項７】
前記制御受信部は、
予め設定される時間間隔毎に前記データ受信装置からの制御情報を受信し、前記データ受信装置で受信した信号の伝送状態が良好であったことを示す制御情報を受けた場合に、前記一時記憶部で記録した前記時間間隔に対応するデータを消去させる制御データを生成することを特徴とする請求項５又は６に記載のデータ送信装置。
【請求項８】
データを記録及び送信するデータ送信装置により送信されたデータを受信するためのデータ受信装置において、
前記データ送信装置から送信された信号を受信し、受信した信号の伝送状態に基づいて、前記データ送信装置に記録されているデータの記録又は消去を制御する制御情報を生成する受信処理部と、
前記受信処理部により得られる制御信号を前記データ送信装置に送信する制御送信部とを有することを特徴とするデータ受信装置。
【発明の詳細な説明】
【技術分野】
【０００１】
本発明は、データ伝送システム、データ送信装置、データ受信装置に係り、特に、記録されるデータ量を軽減し、データ受信側でのデータの欠損を補正及び補完可能とするためのデータ伝送システム、データ送信装置、データ受信装置に関する。
【背景技術】
【０００２】
近年、通信や放送等の情報提供サービスの多様化が進み、サービスの速報性を重視する傾向が高まっている。また、災害への対策意識の高まりに伴い、放送サービスにおける緊急報道の重要性が一層高まっている。こうした緊急報道においては、中継現場で撮影された映像や音声等のデータが、無線等により放送局へ伝送され生放送として視聴者に提供される。
【０００３】
また、伝送された映像や音声を放送局で収録し、編集等の再構成作業を行った
後に、他の番組で使用することもある。なお、映像や音声等の伝送装置に関する技術は存在する（例えば、特許文献１参照。）。
【０００４】
ここで、従来のデータ伝送システムの処理について、図を用いて説明する。図１は、従来のデータ伝送システムの一構成例である。図１に示すデータ伝送システム１０は、データ送信装置１１と、データ受信装置１２とを有するよう構成されている。また、図１の構成では、データ伝送システム１０の他にデータ記録装置１３を設けて、データ受信装置１２にて受信したデータを編集等で使用するために蓄積することができる。
【０００５】
また、データ送信装置１１は、データ生成部１４と、送信処理部１５とを有するよう構成されている。更に、データ受信装置１２は、受信処理部１６を有するよう構成されている。なお、データ受信装置１２内に、上述したデータ記録装置１３を設けてもよい。
【０００６】
データ生成部１４は、データ受信装置１２に伝送するための映像データや音声データ等を生成する。具体的にはリアルタイムに撮影された映像や音声等である。また、データ生成部１４は、生成したデータを送信処理部１５に出力する。送信処理部１５は、入力したデータを伝送信号に変換する。ここで、伝送信号への変換処理としては、例えば、データフレーム同期処理や、誤り訂正符号化処理、搬送波による変調処理があるが、伝送経路に即した処理を行えばよく限定されるものではない。送信処理部１５は、変換した伝送信号を伝送経路によりデータ受信装置１２に送信する。
【０００７】
一方、受信側では、データ受信装置１２の受信処理部１６が受信した伝送信号を復調等の処理を行って元のデータに復元する。また、受信処理部１６は、復元したデータをデータ記録装置１３に出力する。
【０００８】
データ記録装置１３は、入力したデータを記録する。このデータ記録装置１３に記録されるデータを用いて編集を行い、他の番組等で使用することができる。なお、データ記録装置１３は、例えば、磁気テープ装置や磁気ディスク装置、光ディスク装置等を用いることができる。
【特許文献１】国際公開第０２／２１７４４号パンフレット
【発明の開示】
【発明が解決しようとする課題】
【０００９】
しかしながら、上述したようなデータ伝送システムにおいて、映像や音声を無線により伝送する場合には、伝送路中のノイズの混入や、他の無線電波の混信等によって、送信側から送ったデータが、受信側で復元できなかったり、復元後のデータが劣化する等の問題が生じることもある。
【００１０】
このような問題は、有線を用いたデータ伝送においても、ケーブルやコネクタの接続不良によっても生じることがある。上記のような伝送データの消失を避けるために、時間差をつけてデータを複数回送信する時間ダイバシティ処理や、時間インターリーブやスクランブル等の時間的なデータ分散処理と誤り訂正符号とを組み合わせて伝送断への耐性を強化する手法も考えられるが、これによって伝送データの消失の可能性を完全に解決することはできない。こうした場合に、生伝送時の伝送データの消失によって放送局側で受信できなかった映像や音声については、二度と映像や音声を取得することは不可能である。
【００１１】
また、データ送信装置側に記録媒体等にデータを記録するデータ記録部を設け、データを送信すると共にデータ記録部にデータを記録しておき、受信側で受信できなかったデータを事後的に補完する手法も考えられる。この例としては、記録機能を備えたカメラ装置の映像及び音声を伝送するデータ伝送システムが想定できる。
【００１２】
しかしながら、上述の場合では、データを伝送している時間中、継続して記録しておくため大容量の記録媒体が必要となり、記録媒体のコスト増につながってしまう。また、記録媒体の容量が足りない場合は、媒体交換に係る作業が必要となる等の問題が生じてしまう。
【００１３】
本発明は、上述した問題点に鑑みなされたものであり、効率的に記録されるデータ量を軽減しデータ受信側でのデータの欠損を補正及び補完可能とするためのデータ伝送システム、データ送信装置、データ受信装置を提供することを目的とする。
【課題を解決するための手段】
【００１４】
上記課題を解決するために、本件発明は、以下の特徴を有する課題を解決するための手段を採用している。
【００１５】
請求項１に記載された発明は、データを送信するデータ送信装置と、該データ送信装置からのデータを受信するデータ受信装置からなるデータ伝送システムにおいて、前記データ送信装置は、前記データ受信装置に送信するデータを記録するデータ記録手段を有し、前記データ受信装置は、前記データ送信装置から受信した信号の伝送状態に基づいて制御情報を生成し、前記データ送信装置に送信する制御送信手段を有し、前記データ記録手段は、前記データ受信装置からの制御情報及び／又は前記制御情報の受信状態に基づいて、前記データの記録又は消去を行うことを特徴とする。
【００１６】
請求項１記載の発明によれば、記録されるデータ量を軽減し、データ受信側でのデータの欠損を事後に補正及び補完可能とすることができる。具体的には、データ受信装置からの制御情報に基づいて、データ送信装置でデータの記録を制御することで、記録媒体に効率よくデータを記録することができ、記録手段における記録媒体のコスト及び記録媒体の交換作業等の負担軽減を図ることができ、更にデータ受信側でのデータの欠損を補正及び補完することができる。
【００１７】
請求項２に記載された発明は、データをデータ受信装置に送信するためのデータ送信装置において、前記データ受信装置に送信するデータを記録するデータ記録部と、前記データ受信装置からの制御情報を受信する制御受信部とを有し、前記データ記録部は、前記制御情報及び／又は前記制御情報の受信状態に基づいて、前記データ記録部に記録されたデータの消去を行うことを特徴とする。
【００１８】
請求項２記載の発明によれば、データ受信側でのデータの欠損を事後に補正及び補完可能とすることができる。具体的には、データ受信装置からの制御情報に基づいて、データ送信装置でデータの記録を制御することで、記録媒体に効率よくデータを記録することができ、記録手段における記録媒体のコスト及び記録媒体の交換作業等の負担軽減を図ることができ、更にデータ受信側でのデータの欠損を補正及び補完することができる。
【００１９】
請求項３に記載された発明は、前記制御受信部は、予め設定される時間間隔毎に前記データ受信装置からの制御情報を受信し、前記データ受信装置で受信した信号の伝送状態が良好でなかったことを示す制御情報を受けた場合、又は、前記制御受信部で受信した制御情報の受信状態が良好でない場合、前記データ記録部に記録されているデータから前記時間間隔に対応するデータの消去を行わないことを特徴とする。
【００２０】
請求項３記載の発明によれば、データ受信側でのデータの欠損を補正及び補完することができる。
【００２１】
請求項４に記載された発明は、前記制御受信部は、予め設定される時間間隔毎に前記データ受信装置からの制御情報を受信し、前記データ受信装置で受信した信号の伝送状態が良好であったことを示す制御情報を受けた場合、前記データ記録部に記録されているデータから前記時間間隔に対応するデータを消去させる制御データを生成することを特徴とする。
【００２２】
請求項４記載の発明によれば、データ受信装置側で良好に受信できたデータをデータ送信装置側でできる限り重複して記録しないようにすることができる。これにより、効率的に記録されるデータ量を軽減することができる。
【００２３】
請求項５に記載された発明は、前記データ記録部に前記データを記録する前に、前記データを一時的に記憶する一時記憶部を有し、前記制御受信部は、前記制御情報及び／又は前記制御情報の受信状態に基づいて、前記一時記憶部に記録されたデータを消去又は前記データ記録部に記録させる制御データを生成することを特徴とする。
【００２４】
請求項５記載の発明によれば、データ受信装置側で良好に受信できたデータをデータ送信装置側でできる限り重複して記録しないようにすることができる。これにより、効率的に記録されるデータ量を軽減することができる。また、メモリ装置等の一時記憶部で記録、消去を行うことで、直接記録媒体にて記録、消去を行うよりも処理速度を向上させることができる。
【００２５】
請求項６に記載された発明は、前記制御受信部は、予め設定される時間間隔毎に前記データ受信装置からの制御情報を受信し、前記データ受信装置で受信した信号の伝送状態が良好でなかったことを示す制御情報を受けた場合、又は、前記制御受信部で受信した制御信号の伝送状態が良好でない場合、前記一時記憶部に記録されている前記時間間隔に対応するデータを前記データ記録部に出力させ、更に、出力したデータを前記一時記憶部から消去させる制御データを生成することを特徴とする。
【００２６】
請求項６記載の発明によれば、必要なデータ部分のみを効率的に記録することができる。これにより、データ量を軽減することができる。
【００２７】
請求項７に記載された発明は、前記制御受信部は、予め設定される時間間隔毎に前記データ受信装置からの制御情報を受信し、前記データ受信装置で受信した信号の伝送状態が良好であったことを示す制御情報を受けた場合に、前記一時記憶部で記録した前記時間間隔に対応するデータを消去させる制御データを生成することを特徴とする。
【００２８】
請求項７記載の発明によれば、データ受信装置側で良好に受信できたデータをデータ送信装置側でできる限り重複して記録しないようにすることができる。これにより、効率的に記録されるデータ量を軽減することができる。また、一時記憶部により、消去を行うことで、処理速度を向上させることができる。
【００２９】
請求項８に記載された発明は、データを記録及び送信するデータ送信装置により送信されたデータを受信するためのデータ受信装置において、前記データ送信装置から送信された信号を受信し、受信した信号の伝送状態に基づいて、前記データ送信装置に記録されているデータの記録又は消去を制御する制御情報を生成する受信処理部と、前記受信処理部により得られる制御信号を前記データ送信装置に送信する制御送信部とを有することを特徴とする。
【００３０】
請求項８記載の発明によれば、データ受信装置側で良好に受信できたデータをデータ送信装置側でできる限り重複して記録しないようにすることができる。これにより、効率的に記録されるデータ量を軽減することができる。また、データ受信装置側でのデータの欠損を補正及び補完することができる。
【発明の効果】
【００３１】
本発明によれば、効率的に記録されるデータ量を軽減しデータ受信側でのデータの欠損を補正及び補完することができる。
【発明を実施するための最良の形態】
【００３２】
＜本発明の概要＞
本発明は、伝送経路上で消失してしまったデータを受信側で復元するために送信側に記録媒体等からなるデータの記録手段を有すると共に、受信側での伝送されたデータの受信状態により生成される制御信号に基づいて記録手段への補正又は補完用のデータを記録する。これにより、データ受信側からの制御情報（制御データ）に基づいて、データ送信側での記録処理を制御することで、記録媒体に効率よくデータを記録することができ、記録媒体のコスト及び記録媒体の交換作業等の負担軽減を図ることができ、更にデータ受信側でのデータの欠損を補正及び補完することができる。
以下に、本発明を適用した実施形態について図を用いて説明する。
【００３３】
＜実施例１＞
図２は、本発明におけるデータ伝送システムの第１の構成例を示す図である。図２に示すデータ伝送システム２０は、データ送信装置２１と、データ受信装置２２とを有するよう構成されている。また、図２の構成では、データ伝送システム２０の他にデータ記録装置２３を設けて、データ受信装置２２にて受信したデータを編集等で使用するために蓄積することができる。
【００３４】
また、データ送信装置２１は、データ生成部２４と、送信処理部２５と、データ記録部２６と、制御受信部２７とを有するよう構成されている。また、データ受信装置２２は、受信処理部２８と、制御送信部２９とを有するよう構成されている。なお、データ受信装置２２内に、上述したデータ記録装置２３を設けてもよい。
【００３５】
データ生成部２４は、データ受信装置２２に伝送するための映像データや音声データ等を生成する。具体的にはリアルタイムに撮影された映像や音声等である。また、データ生成部２４は、生成したデータを送信処理部２５に出力する。また、データ生成部２４は、生成したデータをデータ記録部２６に出力する。
【００３６】
データ記録部２６は、データ生成部２４から入力されたデータを記録する。ここで、データ記録部２６は、データ送信装置２１と着脱可能な記録媒体を有しており、データ記録部２６は、記録媒体へのデータの記録、消去等の制御を行うドライブ装置としての機能を有する。また、記録媒体は特に限定されるものではなく、光学式ディスク媒体や、磁気ディスク媒体、固体メモリ装置等を用いることができる。また、データ記録部２６は、制御受信部２７からの制御データにより、記録媒体中のデータの記録、消去等を行う。なお、データ記録部２６におけるデータの記録、消去処理の具体的な説明については後述する。
【００３７】
また、制御受信部２７は、データ受信装置２２の制御送信部２９から送られる制御伝送信号を受信して、復調等の処理により制御データに変換する。ここで、制御データは、受信処理部２８により受信した信号の受信品質を示すものである。例えば、データ受信装置２２で受信した信号が良好に受信できた場合には、「良好伝送状態」を示すデータが制御データに含まれており、また伝送信号に誤り等があり良好に受信できなかった場合には、「不良伝送状態」を示すデータが制御データに含まれている。
【００３８】
制御受信部２７は、この制御データに基づいて、データ記録部２６に記録されているデータの消去の有無を示す制御データを生成し、データ記録部２６に制御データを出力する。ここで、制御伝送信号の伝送中にもノイズの混入等により、伝送不良になる可能性がある。そこで、制御受信部２７は、制御送信部２９から送られる制御伝送信号の受信状態により、データ記録部２６に出力する制御データを生成する。
【００３９】
なお、受信状態の判断は所定の時間間隔（△Ｔ）毎に行い、判断方法は伝送されるデータ形式等により異なるが、例えば、信号の受信電界強度やデータ誤り率、ビット誤り率、パケット誤り率等のパラメータを、受信品質を判断する尺度として使用する。また、受信信号の復調等の処理を行う場合に、復号が正しく行われたか否かにより判断することもできる。
【００４０】
送信処理部２５は、入力したデータを伝送信号に変換する。ここで、伝送信号への変換処理としては、例えば、データフレーム同期処理や、誤り訂正符号化処理、搬送波による変調処理があるが、伝送経路に即した処理を行えばよく限定されるものではない。送信処理部２５は、変換した伝送信号を伝送経路によりデータ受信装置２２に送信する。
【００４１】
一方、受信側では、データ受信装置２２の受信処理部２８が受信した伝送信号を復調等の処理を行って元のデータに復元する。また、受信処理部２８は、伝送信号の受信状態により制御データを生成する。
【００４２】
なお、受信状態の判断は所定の時間間隔（△Ｔ）毎に行い、判断方法は伝送されるデータ形式等により異なるが、例えば、信号の受信電界強度やデータ誤り率、ビット誤り率、パケット誤り率等のパラメータを、受信品質を判断する尺度として使用する。また、信号の復号が正しく行われたか否かによって判断することもできる。
【００４３】
生成される制御データは、受信状態が良好である場合には、「良好伝送状態」を示す制御データを生成し、また伝送信号に誤り等があり良好でない場合には、「不良伝送状態」を示す制御データを生成する。受信処理部２８は、生成した制御データを制御送信部２９へ出力する。また、受信処理部２８は、復元したデータをデータ記録装置２３に出力する。なお、このとき、データ記録装置２３に出力するデータは、良好伝送状態時のデータだけでもよく、また、復元された全てのデータであってもよい。データ記録装置２３は、入力したデータを記録する。なお、データ記録装置２３は、例えば、磁気テープ装置や磁気ディスク装置、光ディスク装置等を用いることができる。
【００４４】
制御送信部２９は、受信処理部２８から入力した制御データを制御伝送信号に変換する。ここで、制御伝送信号への変換処理としては、例えば、データフレーム同期処理や、誤り訂正符号化処理、搬送波による変調処理があるが、伝送経路に即した処理を行えばよく限定されるものではない。制御送信部２９は、変換した制御伝送信号を制御伝送経路によりデータ送信装置２１に送信する。
【００４５】
この制御データに基づいて、制御受信部２７は、データ記録部２６に記録されているデータの消去の有無を示す制御データを生成し、データ記録部２６は、制御受信部２７に基づいて、記録媒体に蓄積されている所定の時間間隔（△Ｔ）のデータの消去を行う。
【００４６】
これにより、記録媒体には、データ記録装置２３の欠損データに対応するデータ部分のみを記録することができ、データ容量を軽減することができる。また、データ記録装置２３に記録されるデータと、データ記録部２６の記録媒体とにより欠損データを補正及び補完することができる。
【００４７】
次に、データ送信装置２１において行われる制御データに基づいたデータの記録処理について、図を用いて説明する。図３は、実施例１におけるデータ記録部のブロック構成の一例を示す図である。制御部３１と、記録媒体３２とを有するよう構成されている。
【００４８】
まず、データ生成部２４により生成されたデータが記録媒体３２に記録される。その後、制御部３１は、制御受信部２７からの制御データを入力し、記録媒体３２の消去処理を制御する記録媒体用の制御データを生成する。また、制御部３１は、生成した制御データを記録媒体３２に出力する。記録媒体３２は、制御部３１から受けた記録媒体の制御データに基づいて、所定の時間間隔（△Ｔ）毎に予め記録されているデータの消去処理を行う。
【００４９】
次に、実施例１におけるデータ記録の具体的な処理の流れについて、図を用いて説明する。図４は、実施例１におけるデータ記録の具体的な処理の流れの一例を説明するための図である。なお、図４における具体的な処理の流れは、図２及び図３に示す構成に基づいている。
【００５０】
図４に示すように、映像や音声を変換した伝送信号は、データ送信装置２１からｔ０を基準として連続して出力される（図４における太字部分）。また、データ受信装置２２は、所定の時間間隔（△Ｔ）毎に受信信号の良好又は不良を示す制御データを生成して、データ送信装置２１に送信する。図４においては、制御伝送信号のうち実線で示されたものが、「良好伝送状態」を示す制御データを伝送していることを示し、また点線で示されたものが、「不良伝送状態」を示す制御データを伝送していることを示している。
【００５１】
そして、データ送信装置２１は、受信が良好であることを示す制御データを受信したときに、記録媒体３２に記録されているデータのうち、所定の時間間隔△Ｔに相当するデータを消去する処理を行う。具体的には、制御データを受信した時間を基準として△Ｔ時間分前から記録しているデータに対して消去処理を行う。また、制御データの情報が「不良伝送状態」であるか、又はデータ送信装置２１にて受信した制御伝送信号が不良状態であった場合、記録媒体３２に記録されているデータを残値する（消去しない）。
【００５２】
なお、制御データが「不良伝送状態」から「良好伝送状態」へ変化した直後の場合には、消去操作は行わないようにする。具体的には、図４において、時間ｔ２の直後の制御データは、受信が良好であることを示す制御データであるが、その直前の△Ｔ時間分のデータは消去しない。これにより、時間ｔ２の前後の時間で発生したデータの欠損を正確に補正及び補完することができる。
【００５３】
このように、時間△Ｔ毎にデータの記録／消去処理を行うことで、記録媒体３２には、不良伝送となったデータのみが記録される。これにより、記録媒体３２のデータの容量を軽減することができる。また、図４に示すように記録媒体３２により、データ記録装置２３に記録された映像データや音声データを編集等により、補正及び補完することでデータ生成部２４にて生成されたデータを高精度に復元することができる。
【００５４】
次に、受信処理部で生成される制御データについて具体的に説明する。制御データとしては、データ受信装置２２で受信した伝送信号の受信品質を示すものであればよく特に限定されるものではない。
【００５５】
例えば、伝送信号の受信電界強度やデータ誤り率、ビット誤り率やパケット誤り率等のパラメータが受信品質を判断する尺度として使用可能である。これらのパラメータについて、予め設定されるる閾値等による判定によって、伝送信号の信号品質の「良好」、「不良」を判断する。
【００５６】
具体的には、例えば、判定のパラメータとしてビット誤り率を使用する場合には、設定された閾値よりもビット誤り率が小さい場合、つまり、誤ったデータの量が少ない場合には「良好伝送状態」とし、ビット誤り率が設定された閾値以上の場合、つまり、誤ったデータの量が多い場合には「不良伝送状態」と判定する。
【００５７】
なお、閾値の設定については、データ伝送システム２０の使用環境の時間変化や、伝送されるデータの重要性や緊急性によって柔軟に変更することができる。
【００５８】
また、受信処理部において、受信信号の復調等の処理を行う場合に、復号が正しく行われたか否かにより信号品質の「良好」、「不良」を判断することもできる。
【００５９】
また、データ伝送システム２０の使用環境は、障害物の移動等の周囲状況によって時間的に変化するものである。更に伝送されるデータについて緊急性が低い、あるいは重要性の低いものである場合は、「良好伝送状態」と判定されやすくなるよう閾値を設定することができる。
【００６０】
これにより、判定のパラメータとしてビット誤り率を使用する場合には、閾値を大きく設定すれば、設定された閾値よりもビット誤り率が小さい「良好伝送状態」と判定される割合が増加することになり、結果としてデータ記録部２６に記録されるデータ量を軽減することができる。
【００６１】
更に、使用環境の時間変化が速い場合には、時間帯により受信状態が一時的に大きく変動する場合に対応するため、変動に対応するために閾値を小さく設定することにより「不良伝送状態」を漏れなくカバーすることができる。なお、上述した閾値の設定を行う場合には、データの緊急性等に合わせて手動で行う手段や、受信状態の変化に合わせて自動的に可変させることができる。
【００６２】
また、制御データを生成する時間間隔△Ｔについても、データ伝送システム２０の使用環境の時間変化や、伝送されるデータの重要性、緊急性等によって、柔軟に設定することができる。具体的には、データ伝送システム２０の使用環境は、障害物の移動等の周囲状況によって時間的に変化するものである。また、伝送されるデータについて緊急性が低い、あるいは重要性の低いものである場合は、制御データの生成間隔△Ｔを長く設定することで、データ記録部２６に記録されるデータ量を軽減させることができる。更に、使用環境の時間変化が速い場合には、迅速にそれに対応するため時間間隔△Ｔを短く設定することで、データの欠損部分を高精度に補正及び補完することができる。
【００６３】
なお、実施例１に示すシステム構成は、生伝送等で全てのデータを伝送し終わった後の時間を使用して、データ送信装置２１のデータ記録部２６で記録されたデータをデータ受信装置２２に再伝送し編集等により、データの欠損を補正及び補完することができる。
【００６４】
＜実施例２＞
次に、本発明を適用した第２の実施形態について図を用いて説明する。なお、実施例２におけるデータ伝送システムの構成例は、図２に示したデータ伝送システム２０と同様であるがデータ記録部２６の構成及びデータの記録処理が実施例１と異なる。そのため、実施例２では、データ記録部について具体的に説明する。
【００６５】
図５は、実施例２におけるデータ記録部のブロック構成の一例を示す図である。データ記録部２６は、制御部５１と、記録媒体５２と、一時記憶部５３とを有するよう構成されている。
【００６６】
まず、データ生成部２４により生成されたデータが一時記憶部５３に記録される。ここで、一時記憶部５３は、例えば固体メモリ等のデータの記録や消去が迅速に行うことができるものである。
【００６７】
次に、制御部５１は、制御受信部２７からの制御データを入力し、記録媒体５２の記録／消去処理を制御する一時記憶部用の制御データを生成する。また、制御部３１は、生成した制御データを一時記憶部５３へ出力する。
【００６８】
一時記憶部５３は、制御部３１から入力した制御データに基づいて、所定の時間間隔（△Ｔ）毎に予め記録されているデータを記録媒体５２に記録させるか、一時記憶部５３にて記録したデータの消去を行う。これにより、データの記録／消去処理に対する外部構成部分との処理を迅速に行うことができる。
【００６９】
ここで、実施例２におけるデータ記録の具体的な処理の流れについて、図を用いて説明する。図６は、実施例２におけるデータ記録の具体的な処理の流れの一例を説明するための図である。なお、図６における具体的な処理の流れは、図２及び図５に示す構成に基づいている。
【００７０】
図６に示すように、映像や音声を変換した伝送信号は、データ送信装置２１からｔ０を基準として連続して出力される（図６における太字部分）。また、所定の時間間隔（△Ｔ）毎に一時記憶部５３に記憶される。
【００７１】
データ受信装置２２は、所定の時間間隔（△Ｔ）毎に受信信号の良好又は不良を示す制御データを生成して、データ送信装置２１に送信する。図６においては、制御伝送信号のうち実線で示されたものが、「良好伝送状態」を示す制御データを伝送していることを示し、また点線で示されたものが、「不良伝送状態」を示す制御データを伝送していることを示している。
【００７２】
そして、データ送信装置２１は、受信が良好であることを示す制御データを受信したときに、一時記憶部５３に記録されているデータのうち、所定の時間間隔△Ｔに相当するデータを消去する処理を行う。具体的には、制御データを受信した時間を基準として△Ｔ時間分前から記録しているデータに対して消去処理を行う。また、制御データ内の情報が「不良伝送状態」であるか、又はデータ送信装置２１にて受信した制御伝送信号が不良状態であった場合、一時記憶部５３に記録されているデータのうち、所定の時間間隔△Ｔに相当するデータを記録媒体５２に出力して記録する処理を行う。また、記録媒体５２に所定のデータを記録した後は、一時記憶部５３に記録された対応するデータ部分を消去する。
【００７３】
なお、制御データが「不良伝送状態」から「良好伝送状態」へ変化した直後の場合にも、記録処理を行うようにする。具体的には、図６において、時間ｔ２の直後の制御データは、受信が良好であることを示す制御データであるが、その直前の△Ｔ時間分のデータについても記録媒体５２に記録して一時記憶部５３のデータの消去を行う。これにより、時間ｔ２の前後の時間で発生したデータの欠損を正確に補正及び補完することができる。
【００７４】
このように、時間△Ｔ毎にデータの記録／消去処理を行うことで、記録媒体５２には、不良伝送となったデータのみが記録される。これにより、記録媒体５２のデータの容量を軽減することができる。また、図６に示すように記録媒体５２により、データ記録装置２３に記録された映像データや音声データを編集等により、補正及び補完することでデータ生成部２４にて生成されたデータを高精度に復元することができる。
【００７５】
また、実施例２においても実施例１と同様に、制御データの判定の閾値及び制御データの時間間隔△Ｔを、データの緊急性等に合わせて手動で行う手段や、受信状態の変化に合わせて自動的に可変させることが可能である。
【００７６】
また、実施例１又は２において、データ伝送システムを構成するデータ送信装置は、データ生成部、送信処理部、データ記録部、制御受信部から構成されているが、各処理部の全て、あるいは一部について、独立した別装置とすることも可能である。つまり、データ生成部、送信処理部、データ記録部、制御受信部を独立した装置とすることは容易であり、本発明で示す実施例はそのまま適用可能である。
【００７７】
また、上述したデータ送信装置、及びデータ受信装置からなるデータ伝送システムのように専用の装置構成により本発明におけるデータ伝送を行うこともできるが、上述したデータ伝送システムにおけるデータ送信処理及びデータ受信処理をコンピュータに実行させることができる実行プログラムを生成し、例えば、汎用のパーソナルコンピュータ、ワークステーション等にプログラムをインストールすることにより、本発明におけるデータ送信処理及びデータ受信処理を実現することができる。
【００７８】
ここで、本発明における実行可能なコンピュータのハードウェア構成例について図を用いて説明する。図７は、本発明におけるデータ送信処理及びデータ受信処理が実現可能なハードウェア構成の一例を示す図である。
【００７９】
図７におけるコンピュータ本体には、入力装置７１と、出力装置７２と、ドライブ装置７３と、補助記憶装置７４と、メモリ装置７５と、各種制御を行うＣＰＵ（Ｃｅｎｔｒａｌ  Ｐｒｏｃｅｓｓｉｎｇ  Ｕｎｉｔ）７６と、ネットワーク接続装置７７とを有するよう構成されており、これらはシステムバスＢで相互に接続されている。
【００８０】
入力装置７１は、使用者が操作するキーボード及びマウス等のポインティングデバイスを有しており、使用者からのプログラムの実行等、各種操作信号を入力する。出力装置７２は、本発明におけるデータ送信処理及びデータ受信処理を行うためのコンピュータ本体を操作するのに必要な各種ウィンドウやデータ等を表示するディスプレイを有し、ＣＰＵ７６が有する制御プログラムによりプログラムの実行経過や結果等を表示することができる。
【００８１】
ここで、本発明において、コンピュータ本体にインストールされる実行プログラムは、例えば、ＣＤ−ＲＯＭ等の記録媒体７８等により提供される。プログラムを記録した記録媒体７８は、ドライブ装置７３にセット可能であり、記録媒体７８に含まれる実行プログラムが、記録媒体７８からドライブ装置７３を介して補助記憶装置７４にインストールされる。
【００８２】
補助記憶装置７４は、ハードディスク等のストレージ手段であり、本発明における実行プログラムや、コンピュータに設けられた制御プログラム等を蓄積し必要に応じて入出力を行うことができる。
【００８３】
ＣＰＵ７６は、ＯＳ（Ｏｐｅｒａｔｉｎｇ  Ｓｙｓｔｅｍ）等の制御プログラム、メモリ装置７５により読み出され格納されている実行プログラムに基づいて、各種演算や各ハードウェア構成部とのデータの入出力等、コンピュータ全体の処理を制御して、上述したデータ送信及びデータ受信における各処理を実現することができる。プログラムの実行中に必要な各種情報は、補助記憶装置７４から取得することができ、また格納することもできる。
【００８４】
ネットワーク接続装置７７は、通信ネットワーク等と接続することにより、実行プログラムを通信ネットワークに接続されている他の端末等から取得したり、プログラムを実行することで得られた実行結果又は本発明における実行プログラム自体を他の端末等に提供することができる。
【００８５】
上述したようなハードウェア構成により、特別な装置構成を必要とせず、低コストで高精度なデータ送信処理及びデータ受信処理を実現することができる。また、また、実行プログラムをコンピュータにインストールすることにより、容易に本発明におけるデータの送信処理及び受信処理を実現することができる。
【００８６】
次に、図７の構成において実行されるデータ伝送処理手順についてフローチャートを用いて説明する。なお、処理手順は、実施例１及び２におけるデータ送信処理手順と、データ受信処理手順とについて夫々説明する。
【００８７】
図８は、本発明におけるデータ送信処理手順を示す第１のフローチャートである。なお、図８は、実施例１に対応するものである。まず、データ受信側へ送信するデータを生成する（Ｓ０１）。次に、生成したデータを伝送信号に変換し、変換した伝送信号を出力する（Ｓ０２）。また、Ｓ０１にて生成したデータを記録媒体に記録する（Ｓ０３）。
【００８８】
次に、受信側からの制御信号（制御伝送信号）を受信し（Ｓ０４）、受信した制御信号が良好に受信できているかを判断する（Ｓ０５）。具体的には、通信上の伝送障害等により欠損がなく、受信できているかを判断する。
【００８９】
ここで、制御信号が良好に受信できている場合（Ｓ０５において、ＹＥＳ）、制御信号に含まれる制御データの内容が「良好伝送状態」であったかを判断する（Ｓ０６）。制御データが「良好伝送状態」である場合（Ｓ０６において、ＹＥＳ）、Ｓ０３の処理で記録媒体に記録した制御データの受信直前の時間△Ｔに相当する部分のデータを消去する（Ｓ０７）。また、Ｓ０５において、制御データの受信が良好でなかった場合（Ｓ０５において、ＮＯ）、又は制御データが「良好伝送状態」でなかった場合（Ｓ０６において、ＮＯ）、Ｓ０３の処理で記録媒体に記録した制御データの受信直前の時間△Ｔに相当する部分のデータを残置する（Ｓ０８）。なお、上述のＳ０５、Ｓ０６の処理順序は、どちらが先でもよく、また何れかの処理だけを行ってもよい。
【００９０】
これにより、データを送信側と受信側で重複して記録する必要がないため、効率的にデータの記録を行うことができる。
【００９１】
次に、実施例２に対応するデータ送信処理手順についてフローチャートを用いて説明する。図９は、本発明におけるデータ送信処理手順を示す第２のフローチャートである。
【００９２】
まず、データ受信側へ送信するデータを生成する（Ｓ１１）。次に、生成したデータを伝送信号に変換し、変換した伝送信号を出力する（Ｓ１２）。また、Ｓ１１にて生成したデータを送信側のメモリ等の一時記憶部に記録する（Ｓ１３）。
【００９３】
次に、受信側からの制御信号（制御伝送信号）を受信し（Ｓ１４）、受信した制御信号が良好に受信できているかを判断する（Ｓ１５）。具体的には、通信上の伝送障害等により欠損がなく、受信できているかを判断する。
【００９４】
ここで、制御信号が良好に受信できている場合（Ｓ１５において、ＹＥＳ）、制御信号に含まれる制御データの内容が「良好伝送状態」であったかを判断する（Ｓ１６）。制御データが「良好伝送状態」である場合（Ｓ１６において、ＹＥＳ）、Ｓ１３の処理で一時記憶部に記録した制御データの受信直前の時間△Ｔに相当する部分のデータを消去する（Ｓ１７）。また、Ｓ１５において、制御データが良好に受信できなかった場合（Ｓ１５において、ＮＯ）、又は制御データが「良好伝送状態」でなかった場合（Ｓ１６において、ＮＯ）、Ｓ１３の処理で一時記憶部に記録した制御データの受信直前の時間△Ｔに相当する部分のデータ記録媒体に出力し（Ｓ１８）、記録媒体にデータを記録する（Ｓ１９）。なお、上述のＳ１５、Ｓ１６の処理順序は、どちらが先でもよく、また何れかの処理だけを行ってもよい。
【００９５】
これにより、データを送信側と受信側で重複して記録する必要がないため、効率的にデータの記録を行うことができる。また、メモリ装置等で記録、消去を行うことで、直接記録媒体に記録、消去を行うよりも処理速度を向上させることができる。
【００９６】
次に、本発明における受信処理手順についてフローチャートを用いて説明する。図１０は、受信処理手順の一例を示すフローチャートである。図１０に示すフローチャートにおいて、まず、データ送信側より伝送信号を受信する（Ｓ２１）。次に、伝送信号を復号し（Ｓ２２）、また、伝送信号が良好に受信できているかを判断する（Ｓ２３）。この場合、上述した受信信号の誤り率やＳ２２の復号が正しく行われたか否かにより判断する。
【００９７】
受信信号が良好に受信できている場合（Ｓ２３において、ＹＥＳ）、データをデータ記録装置に出力する（Ｓ２４）。また、伝送信号を送信した送信側に、データが良好に受信できたことを示す制御データ（良好伝送状態）を生成する（Ｓ２５）。
【００９８】
また、Ｓ２３の処理において、受信信号が良好に受信できていない場合（Ｓ２３において、ＮＯ）、データが良好に受信できなかったことを示す制御データ（不良伝送状態）を生成する（Ｓ２６）。次に、Ｓ２５又はＳ２６の処理において生成された制御データをデータ送信側に出力する（Ｓ２７）。
【００９９】
これにより、データ送信側に良好に受信できなかったデータを記録させることができるため、効率よくデータの記録を行うことができる。また、データ送信側に記録されるデータを用いて、データ記録装置に記録されたデータを補正及び補完することができる。
【０１００】
以上に説明したように、本発明によれば、記録されるデータ量を軽減し、データ受信側でのデータの欠損を事後に補正及び補完可能とすることができる。
【０１０１】
具体的には、データ受信側からの制御情報（制御データ）に基づいて、データ送信側での記録処理を制御することで、記録媒体に効率よくデータを記録することができ、記録媒体のコスト及び記録媒体の交換作業等の負担軽減を図ることができ、更にデータ受信側でのデータの欠損を補正及び補完することができる。
【０１０２】
これにより、例えば、屋外中継時の映像や音声の生伝送等において使用するデータ伝送システムに適用でき、受信側のみならず送信側でも、映像や音声を収録する機能を持ち、送信側の収録を、受信が不良である期間のみ行うよう制御することにより、送信側の記録媒体に必要とされる記録容量を軽減できるようにし、データ欠損を補正及び補完することができる。
【０１０３】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【０１０４】
【図１】従来のデータ伝送システムの一構成例である。
【図２】本発明におけるデータ伝送システムの第１の構成例を示す図である。
【図３】実施例１におけるデータ記録部のブロック構成の一例を示す図である。
【図４】実施例１におけるデータ記録の具体的な処理の流れの一例を説明するための図である。
【図５】実施例２におけるデータ記録部のブロック構成の一例を示す図である。
【図６】実施例２におけるデータ記録の具体的な処理の流れの一例を説明するための図である。
【図７】本発明におけるデータ送信処理及びデータ受信処理が実現可能なハードウェア構成の一例を示す図である。
【図８】本発明におけるデータ送信処理手順を示す第１のフローチャートである。
【図９】本発明におけるデータ送信処理手順を示す第２のフローチャートである。
【図１０】受信処理手順の一例を示すフローチャートである。
【符号の説明】
【０１０５】
１０，２０  データ伝送システム
１１，２１  データ送信装置
１２，２２  データ受信装置
１３，２３  データ記録装置
１４，２４  データ生成部
１５，２５  送信処理部
１６，２８  受信処理部
２６  データ記録部
２７  制御受信部
２９  制御送信部
３１，５１  制御部
３２，５２  記録媒体
５３  一時記憶部
７１  入力装置
７２  出力装置
７３  ドライブ装置
７４  補助記憶装置
７５  メモリ装置
７６  ＣＰＵ
７７  ネットワーク接続装置
７８  記録媒体
【図１】
2005286533.tif 000003
【図２】
2005286533.tif 000004
【図３】
2005286533.tif 000005
【図４】
2005286533.tif 000006
【図５】
2005286533.tif 000007
【図６】
2005286533.tif 000008
【図７】
2005286533.tif 000009
【図８】
2005286533.tif 000010
【図９】
2005286533.tif 000011
【図１０】
2005286533.tif 000012